(57)【特許請求の範囲】
【請求項１】
不可逆記録媒体と、支持基板上に、フォトクロミック化合物を含む感光層が形成されている可逆記録媒体のいずれか一方を選択的に送り出す記録媒体送出手段と、
その記録媒体送出手段で不可逆記録媒体を送り出したときそれに画像を形成する第１の画像形成手段と、
前記記録媒体送出手段で可逆記録媒体を送り出したときそれに画像を形成する第２の画像形成手段と、
を備えてなり、
前記第２の画像形成手段として、可逆記録媒体に形成する画像に対応したマスキングを行うマスキング手段と、そのマスキング手段によるマスキング後、可逆記録媒体に光を照射する光照射手段とを備え、
前記第１の画像形成手段が、トナーを用いた電子写真式画像形成手段であり、その第１の画像形成手段を前記マスキング手段としても利用してなる、画像形成装置。
【請求項２】
可逆記録媒体として、支持基板上に、発色状態における極大吸収波長が異なる２種類以上のフォトクロミック化合物を含む感光層が形成されている記録媒体を用いるとともに、前記第１の画像形成手段として、複数種類のカラートナーを用いた電子写真式多色画像形成手段を用い、
また前記第２の画像形成手段として、前記第１の画像形成手段で兼ねる前記マスキング手段によりマスキングを行う前に、前記可逆記録媒体の全面に紫外光を照射して感光層に含有される全種類のフォトクロミック化合物を発色させるプレ光照射手段と、マスキング後にカラートナー画像を介し白色光を照射して多色画像を形成する前記光照射手段とを備えてなる、請求項１に記載の画像形成装置。
【請求項３】
不可逆記録媒体か可逆記録媒体かを識別する記録媒体識別手段を備えてなる、請求項１または２に記載の画像形成装置。
【請求項４】
外部からの指令に基づき、不可逆記録媒体に画像を形成するか可逆記録媒体に画像を形成するか自動的に選択する制御手段を備えてなる、請求項１または２に記載の画像形成装置。
【請求項５】
不可逆記録媒体に画像を形成するか可逆記録媒体に画像を形成するか選択する操作手段を備えてなる、請求項１または２に記載の画像形成装置。
【請求項６】
可逆記録媒体に光を照射してその上の画像を消去する消去光照射手段を備えてなる、請求項１または２に記載の画像形成装置。
【請求項７】
原稿画像を読み取る画像読取手段を備え、その画像読取手段の読取内容に応じて前記第１の画像形成手段または前記第２の画像形成手段で記録媒体に画像を形成してなる、請求項１または２に記載の画像形成装置。
【発明の詳細な説明】
【０００１】
【発明の属する技術分野】
この発明は、複写機やプリンタやファクシミリ、またはそれらの複合機など、記録媒体に画像を形成する画像形成装置に関する。そのうち特に、形成した画像を消去して繰り返し使用できる可逆記録媒体と、形成した画像を消去できず、繰り返し使用できない、普通紙等の不可逆記録媒体の双方に選択的に画像形成することができる画像形成装置に関する。
【０００２】
【従来の技術】
近年、コンピュータ等の普及にともない、プリンタ等の画像形成装置で用いる、用紙・ＯＨＰフィルム等の記録媒体の消費が急激に増大している。画像形成装置のランニングコストの低減や、資源保護の観点から、記録媒体の消費を少なくすることが求められている。
【０００３】
そこで、最近では、普通紙等に代わるメディアとして、画像の形成と消去を何度か繰り返し行うことができる可逆記録媒体の使用が注目されている。そして、可逆記録媒体、およびそれに画像を形成する画像形成手段の研究が盛んに行われている。
【０００４】
可逆記録媒体としては、高分子化合物とオレイン酸などの高級脂肪酸の混合物から構成され，特定の温度に加熱すると透明状態になり、別の温度に加熱すると白濁状態になる可逆感熱記録媒体が実用化されている。また、ロイコ染料と顕色剤を含む組成物から構成され、溶融温度以上に一時的に加熱してロイコ染料と顕色剤を反応させると、ロイコ染料の構造により種々の色が発現し，溶融温度より低い温度への再加熱によってロイコ染料と顕色剤を分離することで消色する可逆感熱記録媒体が開示されている（特開平５−１２４３６０号公報など参照）。
【０００５】
カラー画像を形成可能なカラー可逆記録媒体としては、コレステリック液晶化合物の選択反射色を利用したカラー可逆感熱記録媒体が開示されている（特開平１１−２４０２７号公報など参照）。また、光照射によって消色状態と発色状態での可逆的な色変化を起こすフォトクロミック化合物を利用することができる。発色状態におけるフォトクロミック化合物の色は視認性がよく、また、イエローを発色する化合物からシアンを発色する化合物まで種々の材料が開発されているため、フルカラー画像を記録することができる。
【０００６】
しかしながら、普通紙等の不可逆記録媒体に対して、トナーやインクで記録された不可逆的な画像と比較すると、可逆記録媒体に記録された画像の保存安定性は低く、また普通紙と比較すると可逆記録媒体のコストは高い。
【０００７】
そこで、１つの画像形成装置で、目的に応じ、長期間保存が必要な書類などは不可逆記録媒体に画像形成し、試しプリントなどは可逆記録媒体に画像形成して繰り返し使用できるようにすることが望ましい。
【０００８】
従来、この種の画像形成装置として、特定の温度に加熱することで透明状態と黒色状態に可逆的に変化する熱可逆性記録媒体と、普通紙の双方のメディアに対して画像記録ができるようにしたものが開示されている（特開２０００−２３３５２４号公報参照）。
【０００９】
そして、試しプリントなどのときは、熱可逆記録媒体にサーマルヘッドを用いて画像を形成し、長期間保存が必要な書類などのときは、普通紙にサーマルヘッドとインクリボンを用いて画像を形成していた。
【００１０】
【発明が解決しようとする課題】
しかしながら、このような従来の画像形成装置は、カラー可逆記録媒体には対応していなかった。よって、カラー可逆記録媒体と普通紙の双方のメディアに対して画像記録ができる画像形成装置の出現が望まれていた。
【００１１】
そこで、この発明の第１の目的は、画像形成装置において、カラー可逆記録媒体と不可逆記録媒体の双方に選択的に画像形成を行うことができるようにし、試しプリントなどは可逆記録媒体に画像を形成するようにして記録媒体の消費の低減を図ることにある。
【００１２】
この発明の第２の目的は、そのような目的に加えて、簡単な構成で高速な画像形成を可能とすることにある。
【００１３】
この発明の第３の目的は、さらに加えて、可逆記録媒体に画像を形成する第１の画像形成手段と、不可逆記録媒体に画像を形成する第２の画像形成手段の一部を共通化して構成の単純化を図り、小型化を図ることにある。
【００１４】
この発明の第４の目的は、さらに加えて、カラー可逆記録媒体に簡単な構成で高速な画像形成ができるようにすることにある。
【００１５】
この発明の第５の目的は、加えて、可逆記録媒体と不可逆記録媒体のセット間違えをなくして作業効率を向上するすることにある。
【００１６】
この発明の第６の目的は、加えて、可逆記録媒体に画像形成するか不可逆記録媒体に画像形成するかを、ホストコンピュータ等で簡単に設定可能とし、作業の効率化を図ることにある。
【００１７】
この発明の第７の目的は、加えて、可逆記録媒体に画像形成するか不可逆記録媒体に画像形成するかを、画像形成装置の操作手段で簡単に設定可能とし、作業の効率化を図ることにある。
【００１８】
この発明の第８の目的は、加えて、可逆記録媒体の画像消去も可能とすることにある。
【００１９】
この発明の第９の目的は、加えて、複写機能も持たせ、原稿をセットして複写も可能とすることにある。
【００２０】
【課題を解決するための手段】
そのため、請求項１に記載の発明は、上述した第１の目的を達成すべく、
画像形成装置において、
不可逆記録媒体と、支持基板上に、フォトクロミック化合物を含む感光層が形成されている可逆記録媒体のいずれか一方を選択的に送り出す記録媒体送出手段と、
その記録媒体送出手段で不可逆記録媒体を送り出したときそれに画像を形成する第１の画像形成手段と、
記録媒体送出手段で可逆記録媒体を送り出したときそれに画像を形成する第２の画像形成手段と、
を備えてなり、
前記第２の画像形成手段として、可逆記録媒体に形成する画像に対応したマスキングを行うマスキング手段と、そのマスキング手段によるマスキング後、可逆記録媒体に光を照射する光照射手段とを備え、
前記第１の画像形成手段が、トナーを用いた電子写真式画像形成手段であり、その第１の画像形成手段を前記マスキング手段としても利用してなる、ことを特徴とする。
【００２３】
請求項２に記載の発明は、上述した第４の目的を達成すべく、
請求項１に記載の画像形成装置において、
可逆記録媒体として、支持基板上に、発色状態における極大吸収波長が異なる２種類以上のフォトクロミック化合物を含む感光層が形成されている記録媒体を用いるとともに、第１の画像形成手段として、複数種類のカラートナーを用いた電子写真式多色画像形成手段を用い、
また第２の画像形成手段として、第１の画像形成手段で兼ねるマスキング手段によりマスキングを行う前に、可逆記録媒体の全面に紫外光を照射して感光層に含有される全種類のフォトクロミック化合物を発色させるプレ光照射手段と、マスキング後にカラートナー画像を介し白色光を照射して多色画像を形成する光照射手段とを備えてなる、ことを特徴とする。
【００２４】
請求項３に記載の発明は、上述した第５の目的を達成すべく、上記請求項１または２に記載の画像形成装置において、不可逆記録媒体か可逆記録媒体かを識別する、センサ等の記録媒体識別手段を備えてなる、ことを特徴とする。
【００２５】
請求項４に記載の発明は、上述した第６の目的を達成すべく、請求項１または２に記載の画像形成装置において、外部からの指令に基づき、不可逆記録媒体に画像を形成するか可逆記録媒体に画像を形成するか自動的に選択する制御手段を備えてなる、ことを特徴とする。
【００２６】
請求項５に記載の発明は、上述した第７の目的を達成すべく、請求項１または２に記載の画像形成装置において、不可逆記録媒体に画像を形成するか可逆記録媒体に画像を形成するか選択する操作手段を備えてなる、ことを特徴とする。
【００２７】
請求項６に記載の発明は、上述した第８の目的を達成すべく、請求項１または２に記載の画像形成装置において、可逆記録媒体に光を照射してその上の画像を消去する消去光照射手段を備えてなる、ことを特徴とする。
【００２８】
請求項７に記載の発明は、上述した第９の目的を達成すべく、請求項１または２に記載の画像形成装置において、原稿画像を読み取る画像読取手段を備え、その画像読取手段の読取内容に応じて第１の画像形成手段または第２の画像形成手段で記録媒体に画像を形成してなる、ことを特徴とする。
【００２９】
【発明の実施の形態】
以下、図面を参照しつつ、この発明の実施の形態につき説明する。
図１には、この発明による画像形成装置の一例である電子写真式プリンタの全体概略構成を示す。
【００３０】
図中符号１０は、プリンタ装置本体である。プリンタ装置本体１０内には、記録媒体送出手段１２と、第１の画像形成手段１３と、第２の画像形成手段１４とを備える。記録媒体送出手段１２は、プリンタ装置本体１０の一側に、不可逆記録媒体用のもの１５Ａと可逆記録媒体用のもの１５Ｂとを設ける。
【００３１】
それらの各記録媒体送出手段１５Ａ・１５Ｂは、それぞれ不可逆記録媒体Ａと可逆記録媒体Ｂのいずれか一方を選択的に送り出すものである。それには、記録媒体Ａ・Ｂを積載収納して上下に重ねて配置する給紙カセット１６Ａ・１６Ｂと、その中に積載収納する記録媒体Ａ・Ｂを上から順に繰り出す給紙ローラ１７Ａ・１７Ｂと、それで繰り出した記録媒体Ａ・Ｂを搬送路２０に送り込む送出ローラ対１８Ａ・１８Ｂとがある。
【００３２】
搬送路２０には、記録媒体Ａ・Ｂを案内するガイド板２１を設け、それに沿ってレジストローラ対２２、第１の画像形成手段１３、第２の画像形成手段１４、トナー除去手段２３、定着手段２４などを配置する。
【００３３】
第１の画像形成手段１３は、記録媒体送出手段１５Ａで不可逆記録媒体Ａを送り出したときそれに画像を形成するものである。図示例では、トナーを用いた電子写真式のもので、像担持体であるドラム状の感光体２５を有し、そのまわりに帯電器２６、書込み器２７、現像器２８、不図示の転写器、不図示のクリーニング器などを備えたものである。
【００３４】
第２の画像形成手段１４は、記録媒体送出手段１５Ｂで可逆記録媒体Ｂを送り出したときそれに画像を形成するものである。図示例では、可逆記録媒体Ｂに形成する画像に対応したマスキングを行うマスキング手段３０と、そのマスキング手段３０によるマスキング後に、可逆記録媒体Ｂに光を照射する光照射手段３１とで構成する。
【００３５】
図示例では、マスキング手段３０としては、第１の画像形成手段１３をそのまま利用してなる。また、光照射手段３１としては、紫外光ランプ３２を用いる。
【００３６】
給紙カセット１６Ａ内に積載収納する不可逆記録媒体Ａは、画像形成後その画像をきれいに消去できない、普通紙・ＯＨＰフィルム等である。給紙カセット１６Ｂ内に積載収納する可逆記録媒体Ｂは、画像形成と消去を繰り返すことができるもので、図２に示すように、支持基板３４上に、フォトクロミック化合物を含む感光層３５が形成されている。なお、図示しないが、必要に応じ、感光層３５の上には、透明な保護膜を形成しても構わない。
【００３７】
支持基板３４は、表面が白色であることが好ましいが用途に応じて着色してあっても構わない。また、支持基板３４は、用紙やフィルムなどの比較的薄い媒体が好ましいがこれに限定されない。
【００３８】
感光層３５には、紫外光照射により発色状態となり、可視光照射により消色状態になるフォトクロミック化合物が含まれる。フォトクロミック化合物には、発色状態が熱に安定であり、光のみによって色変化を起こすＰ型材料と、発色状態が熱に不安定であり、光だけでなく熱によっても色変化を起こすＴ型材料とがあるが、本発明では、Ｐ型材料を用いることが特に望ましい。Ｐ型材料の代表的なものとしてはフルギド系化合物、ジアリールエテン系化合物などがある。
【００３９】
発色状態における色は、フォトクロミック化合物の種類によって様々であり、用途によって所望の材料を選択すればよい。特に、フルカラー画像を記録したい場合は、３原色であるイエロ、マゼンタ、シアンを発色する材料が重要である。
【００４０】
イエロ発色材料としては、例えば、２−［１−（４−アセチル−２，５−ジメチル−３−フリル）エチリデン］−３−イソプロピリデンコハク酸無水物、２−［１−（５−メチル−２−フェニル−４−オキサゾリル）エチリデン］−３−イソプロピリデンコハク酸無水物、１，２−ビス（２−フェニル−４−トリフルオロメチルチアゾール）−３，３，４，４，５，５−ヘキサフルオロシクロペンテン、２，３−ジ（２−メチルベンゾチエニル）マレイン酸ジメチル、１，２−ビス（５−エトキシ−２−メチルチアゾ−ル）−３，３，４，４，５，５−ヘキサフルオロシクロペンテンなどが挙げられる。
【００４１】
マゼンタ発色材料としては、例えば、２−［１−（２，５−ジメチル−１−フェニルピラゾリル）エチリデン］−３−イソプロピリデンコハク酸無水物、２−［１−（３−メトキシ−５−メチル−１−フェニル−４−ピラゾリル）エチリデン］−３−イソプロピリデンコハク酸無水物、１，２−ビス（３−（２−メチル−６−（２−（４−メトキシフェニル）エチニル）ベンゾチエニル））−３，３，４，４，５，５−ヘキサフルオロシクロペンテン、１，２−ビス（５−メチル−２−フェニルチアゾ−ル）−３，３，４，４，５，５−ヘキサフルオロシクロペンテン、１−（１，２−ジメチル−３−インドリル）−２−（２−メチル−３−ベンゾチエニル）−３，３，４，４，５，５−ヘキサフルオロシクロペンテンなどが挙げられる。
【００４２】
また、シアン発色材料としては、例えば、２−［１−（１，２，５−トリメチル−３−ピロリル）エチリデン］−３−イソプロピリデンコハク酸無水物、２−［２，６−ジメチル−３，５−ビス（ｐ−ジメチルアミノスチリル）ベンジリデン］−３−イソプロピリデンコハク酸無水物、１−（５−メトキシ−１，２−ジメチル−３−インドリル）−２−（５−シアノ−２，４−ジメチル−３−チエニル）−３，３，４，４，５，５−ヘキサフルオロシクロペンテン、１−（５−メトキシ−１，２−ジメチル−３−インドリル）−２−（６−カルボキシル−２−メチル−３−ベンゾチエニル）−３，３，４，４，５，５−ヘキサフルオロシクロペンテン、１−（６−シアノ−２−メチル−３−ベンゾチエニル）−２−（５−メトキシ−１，２−ジメチル−３−インドリル）−３，３，４，４，５，５−ヘキサフルオロシクロペンテン」などが挙げられる。
【００４３】
また、感光層３５内のフォトクロミック化合物は、アクリル系樹脂、塩化ビニル樹脂、ポリエステル系樹脂、ポリアミド系樹脂、ポリオレフィン系樹脂、またはウレタン樹脂等の樹脂に分散されていてもよいし、マイクロカプセル中に封入されていてもよい。
【００４４】
さて、いま図１に示すプリンタで、ホストコンピュータ等の外部からの指令に基づきプリンタ装置本体１０の制御手段により不可逆記録媒体Ａに画像を形成することを自動的に選択すると、またはプリンタ装置本体１０の操作パネルに備える不図示の操作手段により不可逆記録媒体Ａに画像を形成することを手動で選択すると、不可逆記録媒体用記録媒体送出手段１５Ａおよび第１の画像形成手段１３を駆動する。
【００４５】
そして、記録媒体送出手段１５Ａの給紙ローラ１７Ａを回転して給紙カセット１６Ａから不可逆記録媒体Ａを繰り出し、送出ローラ対１８Ａにより搬送路２０に送り込んで先端をレジストローラ対２２に突き当て止める。
【００４６】
一方、第１の画像形成手段１３の感光体２５を時計まわりに回転し、その回転とともに、帯電器２６で感光体２５の表面を一様に帯電し、次いで書込み器２７で書込みを行ってその表面に静電潜像を形成し、現像器２８でトナーを付着してその静電潜像を可視像化し、感光体２５の表面にトナー画像を形成する。
【００４７】
そして、感光体２５の回転にタイミングを合わせてレジストローラ対２２を回転し、その感光体２５上のトナー画像を不図示の転写器で不可逆記録媒体Ａ上に転写する。その後、ガイド板２１で案内して搬送路２０を搬送し、定着手段２４で転写画像を定着してから、画像を形成した不可逆記録媒体Ａをプリンタ装置本体１０外に排出する。なお、この不可逆記録媒体Ａに画像を形成するときには、光照射手段３１およびトナー除去手段２３は駆動しない。
【００４８】
一方、画像転写後の感光体２５の表面は、不図示のクリーニング器で転写残トナーを除去し、帯電からはじまる再度の画像形成に備える。
【００４９】
次に、図１に示すプリンタで、ホストコンピュータ等の外部からの指令に基づき制御手段により可逆記録媒体Ｂに画像を形成することを自動的に選択すると、または操作パネルに備える不図示の操作手段により可逆記録媒体Ｂに画像を形成することを手動で選択すると、可逆記録媒体用記録媒体送出手段１５Ｂおよび第２の画像形成手段１４を駆動する。
【００５０】
そして、記録媒体送出手段１５Ｂの給紙ローラ１７Ｂを回転して給紙カセット１６Ｂから可逆記録媒体Ｂを繰り出し、送出ローラ対１８Ｂにより搬送路２０に送り込んで先端をレジストローラ対２２に突き当て止める。
【００５１】
一方、第２の画像形成手段１４のマスキング手段３０を兼ねる第１の画像形成手段１３を駆動し、不可逆記録媒体Ａの場合と同様に感光体２５の表面にトナー画像を形成する。そして、図２に示すように、そのトナー画像を可逆記録媒体Ｂ上に転写する。
【００５２】
その後、ガイド板２１で案内して搬送路２０を搬送しながら、光照射手段３１の紫外光ランプ３２で紫外光を全面照射して転写画像以外の部分のフォトクロミック化合物を発色し、転写画像部分ではトナーによって紫外光を吸収して感光層３５内で発色反応が起こらず、消色状態を保ったままとなるようにする。次いで、トナー除去手段２３でトナーを吸着して可逆記録媒体Ｂ上のトナー画像を除去してから、画像を形成した可逆記録媒体Ｂをプリンタ装置本体１０外に排出する。なお、この可逆記録媒体Ｂに画像を形成するときには、定着手段２４は駆動しない。
【００５３】
一方、画像転写後の感光体２５の表面は、不可逆記録媒体Ａに画像を形成する場合と同様に、不図示のクリーニング器で転写残トナーを除去し、帯電からはじまる再度の画像形成に備える。
【００５４】
この可逆記録媒体Ｂに画像を形成するときには、カラー可逆記録媒体Ｂ上のトナーの堆積量によって光の透過率が変わるため、照射光強度、照射時間を変化させることなく容易に中間調を表現することができる。そして、感光体２５上のトナー画像にネガ画像を形成することで、カラー可逆記録媒体Ｂ内の感光層３５にポジ画像を記録することができる。
【００５５】
図３には、この発明による画像形成装置の他例である電子写真式プリンタの全体概略構成を示す。
【００５６】
この図３中、図１と対応する部分には、図１で使用した符号をそのまま使用し、その部分の重複説明を省略する。
【００５７】
この例では、可逆記録媒体Ｂとして、支持基板３４上に形成されている感光層３５が、発色状態における極大吸収波長が異なる２種類以上のフォトクロミック化合物を含む記録媒体を用いることで、カラー画像記録を容易に行うことができるようにする。
【００５８】
第１の画像形成手段１３としては、複数種類のカラートナーを用いた電子写真式多色画像形成手段を用いる。
【００５９】
また、第２の画像形成手段１４としては、第１の画像形成手段１３で兼ねるマスキング手段３０によりマスキングを行う前に、可逆記録媒体Ｂの全面に紫外光を照射して感光層３５に含有される全種類のフォトクロミック化合物を発色させるプレ光照射手段３６と、マスキング後にカラートナー画像を介し白色光を照射して多色画像を形成する光照射手段３１とを備える。
【００６０】
プレ光照射手段３６には紫外光ランプ３７を、光照射手段３１にはキセノンランプ３８と光学フィルタ３９を設ける。
【００６１】
いま、この図３に示すプリンタで、ホストコンピュータ等の外部からの指令に基づき制御手段により不可逆記録媒体Ａに画像を形成することを自動的に選択すると、または操作パネルに備える不図示の操作手段により不可逆記録媒体Ａに画像を形成することを手動で選択すると、不可逆記録媒体用記録媒体送出手段１５Ａおよび第１の画像形成手段１３を駆動する。
【００６２】
そして、図１に示すプリンタと同様に、不可逆記録媒体Ａに画像を形成する。なお、このときプレ光照射手段３６、光照射手段３１、トナー除去手段２３は駆動しない。
【００６３】
次に、図３に示すプリンタで、ホストコンピュータ等の外部からの指令に基づき制御手段により可逆記録媒体Ｂに画像を形成することを自動的に選択すると、または操作パネルに備える不図示の操作手段により可逆記録媒体Ｂに画像を形成することを手動で選択すると、可逆記録媒体用記録媒体送出手段１５Ｂおよび第２の画像形成手段１４を駆動する。
【００６４】
そして、レジストローラ対２２により送り出した可逆記録媒体Ｂに、図４にも示すように、まずプレ光照射手段３６の紫外光ランプ３７で紫外光を全面照射し、感光層３５内のフォトクロミック化合物を発色状態にする。次いで、電子写真プロセスによって感光体２５上に所望のトナー画像を形成し、そのトナー画像を不図示の転写器で可逆記録媒体Ｂ上に転写する。
【００６５】
その後、光照射手段３１で、表面にトナー画像を形成した可逆記録媒体Ｂに対して、フォトクロミック化合物の発色状態の吸収帯に対応した波長の可視光を全面照射する。この可視光照射により、表面にトナーが存在しない部分は消色反応を起こし、トナーが存在する部分では可視光がトナーによって吸収されるために消色反応が起こらず、発色状態を保ったままとなるようにする。
【００６６】
次いで、トナー除去手段２３でトナーを吸着して可逆記録媒体Ｂ上のトナー画像を除去してから、画像を形成した可逆記録媒体Ｂをプリンタ装置本体１０外に排出する。なお、この可逆記録媒体Ｂに画像を形成するときには、定着手段２４は駆動しない。
【００６７】
そして、このときトナー画像にポジ画像を形成することで、カラー可逆記録媒体Ｂ内の感光層３５にポジ画像を記録することができる。
【００６８】
次に、図３に示すプリンタを用いて可逆記録媒体Ｂに画像を形成する他の例としては、図５に示すように、感光層３５に、発色状態における極大吸収波長が約４００〜５００ｎｍにあるフォトクロミック化合物３５ａと、約５００〜６００ｎｍにあるフォトクロミック化合物３５ｂと、約６００〜７００ｎｍにあるフォトクロミック化合物３５ｃを積層した可逆記録媒体Ｂを用いる。これらのフォトクロミック化合物は、発色状態でそれぞれイエロ、マゼンタ、シアンを示す。
【００６９】
そして、はじめに、プレ光照射手段３６の紫外光ランプ３７で可逆記録媒体Ｂ全面に紫外光を照射し、感光層３５内のフォトクロミック化合物の全種類を全面発色する。次いで、電子写真プロセスを用いて感光体２５上に、イエロの画像信号に応じた所望のトナー画像を形成し、そのトナー画像を不図示の転写器で転写して可逆記録媒体Ｂの表面にイエロの画像信号に応じたトナー画像を形成する。
【００７０】
それから、光照射手段３１のキセノンランプ３８と光学フィルタ３９でつくった波長４５０ｎｍ程度の可視光を、可逆記録媒体Ｂに対して照射する。この波長の光では、イエロを発色しているフォトクロミック化合物（極大吸収波長が約４００〜５００ｎｍ）３５ａのみが消色反応を示す。その後、トナー除去手段２３でトナーを吸着して可逆記録媒体Ｂ上のトナー画像を除去する。
【００７１】
次に、搬送路２０に沿って可逆記録媒体Ｂを感光体２５位置の上流まで戻し、今度は感光体２５上に、マゼンタの画像信号に応じた所望のトナー画像を形成し、そのトナー画像を不図示の転写器で転写して可逆記録媒体Ｂの表面にマゼンタの画像信号に応じたトナー画像を形成する。
【００７２】
それから、光照射手段３１のキセノンランプ３８と光学フィルタ３９でつくった波長５５０ｎｍ程度の可視光を、可逆記録媒体Ｂに対して照射する。この波長の光では、マゼンタを発色しているフォトクロミック化合物（極大吸収波長が約５００〜６００ｎｍ）３５ｂのみが消色反応を示す。その後、トナー除去手段２３でトナーを吸着して可逆記録媒体Ｂ上のトナー画像を除去する。
【００７３】
次いで、搬送路２０に沿って可逆記録媒体Ｂを再び感光体２５位置の上流まで戻し、今度は感光体２５上に、シアンの画像信号に応じた所望のトナー画像を形成し、そのトナー画像を不図示の転写器で転写して可逆記録媒体Ｂの表面にシアンの画像信号に応じたトナー画像を形成する。
【００７４】
それから、光照射手段３１のキセノンランプ３８と光学フィルタ３９でつくった波長６５０ｎｍ程度の可視光を、可逆記録媒体Ｂに対して照射する。この波長の光では、シアンを発色しているフォトクロミック化合物（極大吸収波長が約６００〜７００ｎｍ）３５ｃのみが消色反応を示す。その後、最後にトナー除去手段２３でトナーを吸着して可逆記録媒体Ｂ上のトナー画像を除去してから、完全なカラー画像を形成した可逆記録媒体Ｂをプリンタ装置本体１０外に排出する。
【００７５】
なお、図５の例では、イエロ、マゼンタ、シアンによるフルカラー記録方法を示したが、これに限らず、任意のフォトクロミック化合物を用いることで２色以上の画像を記録することができる。
【００７６】
また、可逆記録媒体Ｂに画像を形成するさらに他の例としては、例えば、発色状態でイエロ、マゼンタ、シアンを示すフォトクロミック化合物を含有した可逆記録媒体Ｂに対して全面に紫外光を照射する。次に、電子写真プロセスを用いて感光体２５上に形成した、イエロ、マゼンタ、シアンの３色のトナーを重ね合わせたカラートナー画像を可逆記録媒体Ｂ上に転写する。
【００７７】
次いで、カラートナー画像を介して可逆記録媒体Ｂに対して白色光（４００〜７００ｎｍ程度の可視域波長帯を全て含んだ光）を照射すると、トナーが吸収する波長帯の光（イエロートナーは約４００〜５００ｎｍ、マゼンタトナーは約５００〜６００ｎｍ、シアントナーは約６００〜７００ｎｍ）以外の光が透過するため、対応したフォトクロミック化合物のみが消色反応を起こし、カラートナー画像と同様の色画像が可逆記録媒体Ｂに記録される。最後に、カラートナー画像をすべて除去する。
【００７８】
このようにすると、１度の光照射でカラー画像ができるため高速な記録が可能となる。また、照射光源が紫外光と白色光のみでよいから、装置の小型化、低コスト化を図ることができる。
【００７９】
ところで、この発明による画像形成装置では、例えば図１および図３に示すように、
不可逆記録媒体Ａと、支持基板３４上に、フォトクロミック化合物を含む感光層３５が形成されている可逆記録媒体Ｂのいずれか一方を選択的に送り出す記録媒体送出手段１２と、
その記録媒体送出手段１２で不可逆記録媒体Ａを送り出したときそれに画像を形成する第１の画像形成手段１３と、
記録媒体送出手段１２で可逆記録媒体Ｂを送り出したときそれに画像を形成する第２の画像形成手段１４とを備える。
【００８０】
第１の画像形成手段１３としては、トナーを用いた電子写真式画像形成手段であり、その第１の画像形成手段１３をマスキング手段３０としても利用する例を示した。しかし、第１の画像形成手段１３は、第２の画像形成手段１４に関係なく、電子写真プロセス、インクジェット、インクリボンを用いた感熱記録など、既存の画像記録方法のどれを用いても構わない。
【００８１】
第２の画像形成手段１４としては、例えば図１および図３に示すように、可逆記録媒体Ｂに形成する画像に対応したマスキングを行うマスキング手段３０と、そのマスキング手段３０によるマスキング後、可逆記録媒体Ｂに光を照射する光照射手段３１とを備える。
【００８２】
そして、例えば図３に示すように、
可逆記録媒体Ｂとして、支持基板３４上に、発色状態における極大吸収波長が異なる２種類以上のフォトクロミック化合物を含む感光層３５が形成されている記録媒体を用いるとともに、第１の画像形成手段１３として、複数種類のカラートナーを用いた電子写真式多色画像形成手段を用い、
また第２の画像形成手段１４として、第１の画像形成手段１３で兼ねるマスキング手段３０によりマスキングを行う前に、可逆記録媒体Ｂの全面に紫外光を照射して感光層３５に含有される全種類のフォトクロミック化合物を発色させるプレ光照射手段３６と、マスキング後にカラートナー画像を介し白色光を照射して多色画像を形成する光照射手段３１とを備える。
【００８３】
マスキング手段３０として、上述したすべての例では、可逆記録媒体Ｂに画像を形成するとき、その可逆記録媒体Ｂ表面に感光体２５上のトナー画像を直接転写した。しかし、可逆記録媒体Ｂ上にトナー画像を直接転写する必要性はなく、例えば感光体２５上のトナー画像をいったん光透過性基板上に転写してから、この光透過性基板を介して可逆記録媒体Ｂに光照射することもできる。このようにすると、可逆記録媒体Ｂ表面にトナーが付着することがなくなり、可逆記録媒体Ｂの汚れや損傷を防ぐことができる。
【００８４】
光透過性基板としては、ガラス、透明フィルムなどを用いればよい。ただし、トナー画像を介して紫外光を照射する必要がある場合は、紫外波長域を透過する石英ガラスなどが望ましい。
【００８５】
ところで、上述したプリンタでは、可逆記録媒体Ｂが何度も書き換え記録できるため、紙資源の節約に大きく貢献する。さらに加えて、可逆記録媒体Ｂの画像形成に用いるトナーを回収・再利用すれば、可逆記録媒体Ｂに画像記録する場合における消耗品をなくしてランニングコストを電気代だけとし、経済的にも資源保護の観点からも大きな効果を得ることができる。再利用の方法としては、例えば、トナー除去手段２３で除去したトナーを一時的に容器などに保管し、再びトナーボトルに移し変えて使用するようにするとよい。
【００８６】
また、支持基板３４上に、フォトクロミック化合物を含む感光層３５が形成されている可逆記録媒体Ｂは、強い白色光を照射することでその可逆記録媒体Ｂ上に形成した画像を消去することができる。したがって、プリンタ等の画像形成装置に白色光光源などの消去光照射手段を装備し、必要に応じて可逆記録媒体Ｂに光を照射してその上の画像を消去するようにしてもよい。
【００８７】
さらに、例えば可逆記録媒体用の給紙カセット１６Ｂに不可逆記録媒体Ａを入れてしまう可能性がある。しかし、可逆記録媒体Ｂと不可逆記録媒体Ａとでは、画像記録方法が異なっているので、給紙カセット１６Ｂにを間違えると、セットされた記録媒体に画像記録されないこととなる。そこで、対策として、可逆記録媒体Ｂまたは不可逆記録媒体Ａを識別する記録媒体識別手段を備え、間違った記録媒体には画像記録を行わないようにすればよい。
【００８８】
例えば、可逆記録媒体Ｂを識別するには、あらかじめ可逆記録媒体Ｂに固有の不可視コードを記入しておき、記録媒体識別手段で認識する方法、画像記録前に可逆記録媒体Ｂの一部に光照射し、記録媒体識別手段で色変化を追跡する方法などがあるが、どのような方法でも構わない。
【００８９】
なお、図１および図３に示す画像形成装置では、コンピュータに接続することでプリンタとして利用できる。しかし、この発明による画像形成装置は、プリンタに限らず、その他の画像形成装置にも同様に適用することができる。例えば、原稿画像を読み取る画像読取手段を備え、その画像読取手段の読取内容に応じて第１の画像形成手段１３または第２の画像形成手段１４で記録媒体に画像を形成するようにしてもよい。
【００９０】
さて、上述した説明では、第２の画像形成手段１４としてマスキング手段３０を備え、第１の画像形成手段１３をマスキング手段３０としても利用した。しかし、マスキング手段３０は、第１の画像形成手段１３とは関係なく、それとは別個に設けた図６や図７に示すようなものであってもよい。
【００９１】
図６に示す例は、支持基板３４上に、フォトクロミック化合物を含む感光層３５が形成されている可逆記録媒体Ｂに対して、画像形成された遮光マスク４０を介して紫外光ランプなどから紫外光を照射するものである。感光層３５に発色状態および消色状態における吸収波長帯が異なる複数種類のフォトクロミック化合物を混合したものを用い、異なる波長域の紫外光ランプから紫外光を照射することでカラー画像記録ができる。所望の画像を形成するための遮光マスク４０としては、液晶シャッタ、電子写真プロセスで形成したトナー画像、透明状態と黒色状態に可逆的に変化する熱可逆性記録媒体を透過性基板上に塗布したシートなどを利用することができる。
【００９２】
図７に示す例は、支持基板３４上に、フォトクロミック化合物を含む感光層３５が形成されている可逆記録媒体Ｂに対して、紫外光ランプで記録媒体全体を発色させた後に、画像形成された遮光マスク４０を介して可視光ランプからの可視光を照射するものである。感光層３５に発色状態における吸収波長帯が異なる複数種類のフォトクロミック化合物を混合したものを用い、異なる波長域の可視光を照射することでカラー画像記録ができる。
【００９３】
また、上述した説明では、第２の画像形成手段１４としてマスキング手段３０を備えたが、マスキング手段３０は必ずしも必須のものではなく、例えば第２の画像形成手段１４を例えば図８ないし１０に示す構成とすることで、この発明による画像形成装置でマスキング手段３０を不要とすることができる。
【００９４】
図８に示す例は、支持基板３４上に、フォトクロミック化合物を含む感光層３５が形成されている可逆記録媒体Ｂに対して、レーザー（ＬＤ）または発光ダイオード（ＬＥＤ）などの光書込み手段４１から紫外光を発し、その紫外光を照射して書込みを行い、記録媒体の領域を部分的に発色させることで画像形成をするものである。感光層３５に発色状態および消色状態における吸収波長帯が異なる複数種類のフォトクロミック化合物を混合したものを用い、異なる波長域の紫外光を照射することでカラー画像を記録することができる。
【００９５】
図９に示す例は、支持基板３４上に、発色状態における吸収波長帯が異なる複数種類のフォトクロミック化合物が規則的な配列パターンで形成されている可逆記録媒体Ｂに対して、紫外光ＬＥＤなどの光書込み手段４１で特定領域の紫外光を照射して書込みを行い、所望のフォトクロミック化合物を発色させることで画像形成をするカラー画像記録方法である。
【００９６】
図１０に示す例は、支持基板３４上に、フォトクロミック化合物を含む感光層３５が形成されている可逆記録媒体Ｂに対して、紫外光ランプなどで記録媒体全体を発色させた後に、可視域を発光するＬＤ、ＬＥＤなどの光書込み手段４１を利用して記録媒体の領域を部分的に消色させて画像を形成するものである。感光層３５に発色状態における吸収波長帯が異なる複数種類のフォトクロミック化合物を混合したものを用い、異なる波長域の可視光を照射することでカラー画像を記録することができる。
【００９７】
（実施例１）
フォトクロミック化合物としては、フルギド系の化合物である２−［１−（２−シアノ−１、５−ジメチル−３−ピロリル）エチリデン］−３−イソプロピリデンコハク酸無水物（以下「ＰＣ１」と略す）を用いた。ＰＣ１の吸収スペクトルを測定したところ、光照射前の吸収波長帯は３４９ｎｍであり、無色であった。また、高圧水銀灯の３６６ｎｍの輝線を照射したところ、極大吸収波長は５６９ｎｍとなり赤紫色を示した。
【００９８】
ＰＣ１の１０ｍｇをポリスチレン１００ｍｇとともにトルエン中に溶解させ、白色ポリエチレンテレフタレート基板（厚さ１８８μｍ）上にスピンコートし、画像記録媒体を作成した。形成した感光層の厚みは、約１５μｍであった。
【００９９】
この画像記録媒体に対して、レーザープリンタにより黒色画像を印字した。ただし、トナーを転写後、定着ローラへ搬送される前に画像記録媒体を取り出すことで、トナー定着工程はおこなわなかった。画像記録媒体に対してブラックライト（波長３６５ｎｍ、照度１０ｍＷ／ｃｍ２）を１０秒間照射し、トナーを除去したところ、トナー画像印字部以外が赤紫色に発色しており、白色と赤紫色の画像が形成できた。
【０１００】
（実施例２）
フォトクロミック化合物としては、フルギド系の化合物である２−［１−（１、２、５−トリメチル−３−ピロリル）エチリデン］−３−イソプロピリデンコハク酸無水物（以下「ＰＣ２」と略す）を用いて、実施例１と同様に画像記録媒体を作成した。ＰＣ２の吸収スペクトルを測定したところ、光照射前の吸収波長帯は３６０ｎｍであり、無色であった。また、高圧水銀灯の３６６ｎｍの輝線を照射したところ、極大吸収波長は６３４ｎｍとなり青紫色を示した。
【０１０１】
この画像記録媒体に対して、実施例１と同様に、レーザープリンタにより黒色画像を印字した後、ブラックライトを１０秒間照射し、トナーを除去したところ、トナー画像印字部以外が青紫色に発色しており、白色と青紫色の画像が形成できた。
【０１０２】
（実施例３）
フォトクロミック化合物としては、フルギド系の化合物である２−［１−（５−メチル−２−フェニル−４−オキサゾリル）エチリデン］−３−イソプロピリデンコハク酸無水物（以下「ＰＣ３」と略す）を用いて、実施例１と同様に画像記録媒体を作成した。ＰＣ３の吸収スペクトルを測定したところ、光照射前の吸収波長帯は３３７ｎｍであり、無色であった。また、高圧水銀灯の３６６ｎｍの輝線を照射したところ、極大吸収波長は４６５ｎｍとなり黄色を示した。
【０１０３】
この画像記録媒体に対して、実施例１と同様に、レーザープリンタにより黒色画像を印字した後、ブラックライトを１０秒間照射して、トナーを除去したところ、トナー画像印字部以外が黄色に発色しており、白色と黄色の画像が形成できた。
【０１０４】
（実施例４）
実施例１で作成した画像記録媒体に対して、はじめにブラックライトを１０秒間照射することで記録媒体全面を赤紫色に発色させた後、レーザープリンタにより黒色画像を印字した（トナー定着は行わない）。画像記録媒体に対して卓上蛍光灯を１０分間照射し、トナーを除去したところ、トナー画像印字部以外のみが消色し、赤紫色と白色の画像が形成できた。
【０１０５】
（実施例５）
実施例２で作成した画像記録媒体に対して、はじめにブラックライトを１０秒間照射することで記録媒体全面を青紫色に発色させた後、レーザープリンタにより黒色画像を印字した（トナー定着は行わない）。画像記録媒体に対して卓上蛍光灯を１０分間照射し、トナーを除去したところ、トナー画像印字部以外のみが消色し、青紫色と白色の画像が形成できた。
【０１０６】
（実施例６）
実施例３で作成した画像記録媒体に対して、はじめにブラックライトを１０秒間照射することで記録媒体全面を黄色に発色させた後、レーザープリンタにより黒色画像を印字した（トナー定着は行わない）。画像記録媒体に対して卓上蛍光灯を１５分間照射し、トナーを除去したところ、トナー画像印字部以外のみが消色し、黄色と白色の画像が形成できた。
【０１０７】
（実施例７）
ＰＣ２、ＰＣ１のフルギド化合物をこの順番で白色ポリエチレンテレフタレート基板（厚さ１８８μｍ）上にスピンコートし、積層型の画像記録媒体を作成した。形成した感光層の厚みは、約２５μｍであった。
【０１０８】
この画像記録媒体に対して、ブラックライトを２０秒間照射したところ記録媒体全面は紫色に発色した。レーザープリンタによりテストパターン＃１を印字し（トナー定着は行わない）、干渉フィルタを介してＸｅランプを照射することで波長５５０ｎｍの可視光（１０ｍＷ／ｃｍ２）を画像記録媒体全面に照射した。トナーを除去したところ、テストパターン＃１の画像部以外が青紫色になり、紫色と青紫色の画像が形成された。
【０１０９】
次に、レーザープリンタによりテストパターン＃２を印字し（トナー定着は行わない）、干渉フィルタを介してＸｅランプを照射することで波長６５０ｎｍの可視光（１０ｍＷ／ｃｍ２）を画像記録媒体全面に照射した。トナーを除去したところ、テストパターン＃２の画像部以外が変色していた。ここで、光照射前、紫色であった箇所は赤紫色に、青紫色であった箇所は白色になり、紫色、青紫色、赤紫色、白色で構成される多色画像が形成された。
【０１１０】
（実施例８）
ＰＣ２、ＰＣ１、ＰＣ３のフルギド化合物をこの順番で白色ポリエチレンテレフタレート基板（厚さ１８８μｍ）上にスピンコートし、積層型の画像記録媒体を作成した。形成した感光層の厚みは、約３５μｍであった。
【０１１１】
この画像記録媒体に対して、ブラックライトを３０秒間照射したところ、記録媒体全面は濃灰色に発色した。レーザープリンタによりテストパターン＃１を印字し（トナー定着は行わない）、干渉フィルタを介してＸｅランプを照射することで波長４５０ｎｍの可視光（１０ｍＷ／ｃｍ２）を画像記録媒体全面に照射した。トナーを除去したところ、テストパターン＃１の画像部以外が紫色になり、紫色と濃灰色の画像が形成された。
【０１１２】
次に、レーザープリンタによりテストパターン＃２を印字し（トナー定着は行わない）、干渉フィルタを介してＸｅランプを照射することで波長５５０ｎｍの可視光（１０ｍＷ／ｃｍ２）を画像記録媒体全面に照射した。トナーを除去したところ、テストパターン＃２の画像部以外が変色していた。ここで、光照射前、濃灰色であった箇所は緑色に、紫色であった箇所は青紫色になり、濃灰色、紫色、緑色、青紫色で構成される多色画像が形成された。
【０１１３】
さらに、レーザープリンタによりテストパターン＃３を印字し（トナー定着は行わない）、干渉フィルタを介してＸｅランプを照射することで波長６５０ｎｍの可視光（１０ｍＷ／ｃｍ２）を画像記録媒体全面に照射した。トナーを除去したところ、テストパターン＃３の画像部以外が変色していた。ここで、光照射前、濃灰色であった箇所は赤色に、紫色であった箇所は赤紫色に、緑色であった箇所は黄色に、青紫色であった箇所は白色になり、濃灰色、紫色、緑色、青紫色、赤色、赤紫色、黄色、白色で構成されるフルカラー画像が形成された。
【０１１４】
（実施例９）
実施例８で作成した画像記録媒体に対して、ブラックライトを３０秒間照射したところ記録媒体全面は濃灰色に発色した。この画像記録媒体に対してレーザープリンタによりイエロ、マゼンタ、シアンの各色トナーで多色画像を形成し（トナー定着は行わない）、光学フィルタを介してＸｅランプを照射することで波長４００〜８００ｎｍの可視光（５０ｍＷ／ｃｍ２）を画像記録媒体全面に照射した。
【０１１５】
カラートナー画像に対応して画像記録媒体内のフォトクロミック化合物が消色反応をおこし、トナーを除去したところ、カラートナー画像とほぼ同様な色合いの画像が記録された。
【０１１６】
（実施例１０）
レーザープリンタにより透明ＯＨＰフィルム上に黒色画像を印字した（トナー定着は行わない）。実施例１で作成した画像記録媒体に対して、前記ＯＨＰフィルムを介してブラックライト（波長３６５ｎｍ、照度１０ｍＷ／ｃｍ２）を１０秒間照射したところ、画像部以外が赤紫色に発色しており、白色と赤紫色の画像が形成できた。
【０１１７】
（実施例１１）
レーザープリンタにより透明ＯＨＰフィルム上に黒色画像を印字した（トナー定着は行わない）。実施例１で作成した画像記録媒体に対して、はじめにブラックライトを１０秒間照射することで記録媒体全面を赤紫色に発色させた後、前記ＯＨＰフィルムを介してを蛍光灯を１０分間照射したところ、画像部以外のみが消色し、赤紫色と白色の画像が形成できた。
【０１１８】
【発明の効果】
以上説明したとおり、請求項１に係る発明によれば、カラー可逆記録媒体を使用し、そのカラー可逆記録媒体と不可逆記録媒体の双方に選択的に画像形成を行うことができるようにするから、試しプリントなどは可逆記録媒体に画像を形成するようにして記録媒体の消費の低減を図ることができる。
【０１１９】
また、請求項１に係る発明によれば、第２の画像形成手段として、可逆記録媒体に形成する画像に対応したマスキングを行うマスキング手段と、そのマスキング手段によるマスキング後、可逆記録媒体に光を照射する光照射手段とを備えるから、簡単な構成で高速な画像形成を可能とすることができる。
【０１２０】
加えて、請求項１に係る発明によれば、可逆記録媒体に画像を形成する第１の画像形成手段と、不可逆記録媒体に画像を形成する第２の画像形成手段の一部を共通化して構成の単純化を図り、小型化を図ることができる。
【０１２１】
請求項２に係る発明によれば、カラー可逆記録媒体に簡単な構成で高速な画像形成ができる。
【０１２２】
請求項３に係る発明によれば、不可逆記録媒体か可逆記録媒体かを識別する、センサ等の記録媒体識別手段を備えるから、その記録媒体識別手段で可逆記録媒体と不可逆記録媒体のセット間違いをなくして作業効率を向上することができる。
【０１２３】
請求項４に係る発明によれば、外部からの指令に基づき、不可逆記録媒体に画像を形成するか可逆記録媒体に画像を形成するか自動的に選択する制御手段を備えるから、いずれの記録媒体に画像形成するかを、ホストコンピュータ等で簡単に設定可能とし、作業の効率化を図ることができる。
【０１２４】
請求項５に係る発明によれば、不可逆記録媒体に画像を形成するか可逆記録媒体に画像を形成するか選択する操作手段を備えるから、いずれの記録媒体に画像形成するかを、操作パネル等に設ける操作手段で簡単に設定可能とし、作業の効率化を図ることができる。
【０１２５】
請求項６に係る発明によれば、可逆記録媒体に光を照射してその上の画像を消去する消去光照射手段を備えるから、画像未消去の可逆記録媒体をセットしてそれに次の画像を形成する前に、消去光照射手段で消去光を照射して前の画像を消去するようにすることもできる。
【０１２６】
請求項７に係る発明によれば、原稿画像を読み取る画像読取手段を備え、その画像読取手段の読取内容に応じて第１の画像形成手段または第２の画像形成手段で記録媒体に画像を形成するから、複写機能も持たせ、原稿をセットして複写も可能とすることができる。コピー内容に応じて可逆記録媒体に画像を形成するようにして記録媒体の消費の低減を図ることができる。
【図面の簡単な説明】
【図１】この発明による画像形成装置の一例である電子写真式プリンタの全体概略構成である。
【図２】その第２の画像形成手段による可逆記録媒体への画像形成工程図である。
【図３】この発明による画像形成装置の他の例である電子写真式プリンタの全体概略構成である。
【図４】その第２の画像形成手段による一例である可逆記録媒体への画像形成工程図である。
【図５】その第２の画像形成手段による他の例である可逆記録媒体への画像形成工程図である。
【図６】この発明による画像形成装置における画像形成方法の一例である。
【図７】この発明による画像形成装置における画像形成方法の他例である。
【図８】この発明による画像形成装置における画像形成方法のさらに他例である。
【図９】この発明による画像形成装置における画像形成方法のまたさらに他例である。
【図１０】この発明による画像形成装置における画像形成方法のまたまたさらに他例である。
【符号の説明】
１０    プリンタ装置本体
１２    記録媒体送出手段
１３    第１の画像形成手段
１４    第２の画像形成手段
１５Ａ  不可逆記録媒体用記録媒体送出手段
１５Ｂ  可逆記録媒体用記録媒体送出手段
２０    搬送路
２３    トナー除去手段
２４    定着手段
２５    感光体
３０    マスキング手段
３１    光照射手段
３４    支持基板
３５    感光層
３６    プレ光照射手段
３７    紫外光ランプ
３８    キセノンランプ
３９    光学フィルタ
Ａ    不可逆記録媒体
Ｂ    可逆記録媒体
【図１】
0004793894.tif 000002
【図２】
0004793894.tif 000003
【図３】
0004793894.tif 000004
【図４】
0004793894.tif 000005
【図５】
0004793894.tif 000006
【図６】
0004793894.tif 000007
【図７】
0004793894.tif 000008
【図８】
0004793894.tif 000009
【図９】
0004793894.tif 000010
【図１０】
0004793894.tif 000011